(57)【要約】【課題】工程ごとの処理方法や被処理材の形態に応じて、部品保持部を最小限の寸法公差により製作でき、且つ複数の前記部品保持部を位置精度良く配設した複数部品保持治具の製造方法を提供する。【解決手段】保持すべき部品Ｐ１の外形状に応じた最適な形状によって該部品Ｐ１を保持可能とする単位保持部Ｈ１を、金属線ｍの３次元曲げ加工によって成形する保持部形成工程と、複数の前記単位保持部Ｈ１を該単位保持部Ｈ１ごとに追って保持される部品Ｐ１が接触しないように互いに離すか、あるいは、互いに隣接しつつ整列させて支持基板１０に接合する接合工程と、を含む、複数部品保持治具２０ａの製造方法。【選択図】  図３
2020203262.tif 000002
【特許請求の範囲】
【請求項１】
複数の部品(Ｐ１〜Ｐ３)を同じの姿勢か所定の姿勢にて整列させ、且つ互いに離して保持するための複数部品保持治具(２０ａ，２０ｂ，２１)の製造方法であって、
上記部品(Ｐ１〜Ｐ３)の外形状および内形状の少なくも一方の形状に応じた最適な形状によって該部品(Ｐ１〜Ｐ３)を保持可能とする単位保持部(Ｈ１〜Ｈ３)を、金属線(ｍ)の３次元曲げ加工によって成形する保持部形成工程と、
複数の前記単位保持部(Ｈ１〜Ｈ３)を該単位保持部ごとに追って保持される部品(Ｐ１〜Ｐ３)が接触しないように互いに離すか、あるいは、互いに隣接しつつ整列させて支持基板(６，１０)または支持枠(２２)に接合する接合工程と、を含む、
ことを特徴とする複数部品保持治具(２０ａ，２０ｂ，２１)の製造方法。
【請求項２】
前記支持基板(１０)は、多孔板(６)または該多孔板(６)の周囲に側枠(１３)を配設したものであり、前記支持枠(２２)は、全体が四角形以上の多角筒形状または円筒形状を呈し、上記多孔板(６)の上面や、上記支持枠(２２)の外周側および内周側の少なくとも一方に、複数の前記単位保持部(Ｈ１〜Ｈ３)が整列されている、
ことを特徴とする請求項１に記載の複数部品保持治具(２０ａ，２０ｂ，２１)の製造方法。
【請求項３】
前記保持部形成工程は、直線の金属線(ｍ)をその一端側から複数回に亘って他端側に向かって順次３次元曲げ加工(ｂ１〜ｂｎ)するものであり、前記金属線(ｍ)の直径が３〜６ｍｍである場合の寸法公差は±０．５ｍｍ以内である、
ことを特徴とする請求項１または２に記載の複数部品保持治具(２０ａ，２０ｂ，２１)の製造方法。
【請求項４】
前記整列とは、平面視で直線状、格子状、千鳥状、円環状、点対称状、線対称状、あるいは多角形状の何れかである、
ことを特徴とする請求項１乃至３の何れか一項に記載の複数部品保持治具(２０ａ，２０ｂ，２１)の製造方法。
【請求項５】
前記部品(Ｐ１〜Ｐ３)は、前記部品保持治具(２０ａ，２０ｂ，２１)に保持された状態で、洗浄、メッキ、塗装、スパッタリング、検査、搬送、展示、あるいは保管に活用される、
ことを特徴とする請求項１乃至４の何れか一項に記載の複数部品保持治具(２０ａ，２０ｂ，２１)の製造方法。
【発明の詳細な説明】
【技術分野】
【０００１】
本発明は、例えば、工場内に工程ごとで所定の処理や加工を施される複数の部品を、同じ姿勢または一定の規則的な姿勢で整列させて保持するための複数部品保持治具の製造方法に関する。
【背景技術】
【０００２】
例えば、マグネシウムまたはマグネシウム合金（以下、Ｍｇと略記する）製からなる複数の被処理材を電解槽内に浸漬して陽極酸化処理を施すため、上端にフック部を有する垂直姿勢の支持親柱と、該支持親柱から径方向に沿って放射状に延び且つ平面視がＶ字形状である複数の支持子柱とを備え、前記複数の支持子柱ごとにおける最外端で且つ前記被処理材に接触する一対の部位にＭｇ製の接触部材を個別に配置した陽極酸化処理用治具が提案されている（例えば、特許文献１参照）。
前記陽極酸化処理用治具によれば、前記被処理材を支持子柱ごとの最外端に配置した接触部材に接触させつつ電解液中で確実に保持でき、且つ上記被処理材の全表面に対して陽極酸化処理をムラなく均一に施すことが可能となる。
【０００３】
ところで、前記のような複数の被処理材（部品）を所定の姿勢で保持するための治具は、工程ごとの処理方法や加工方法および被処理材や被加工材の形態（形状、寸法、数量など）によって千差万別とならざるを得ない。そのため、工程ごとの担当者自らによって試行錯誤を繰り返しつつ、自社内で制作するケースが多くみられる。この場合には、制作ロスを招き易く、コスト高となったり、当該工程の処理効率ないし加工効率が向上しにくい、という問題があった。
また、工程ごとの自動化（ＡＩ化、ＩｏＴ化）や、工程間における搬送作業の省力化や無人化などに対応するため、複数の部品を同じ姿勢や一定の規則的な位置ごとに整列させるための治具には、マニピュレータやロボットでも処理可能となる精度の高い部品保持部の制作や、複数の該部品保持部の高配設精度が求められる。しかし、係る要求に対応し得る技術は、これまで提案されていなかった。
【先行技術文献】
【特許文献】
【０００４】
【特許文献１】特開２００２−３３２５９６号公報（第１〜４頁、図１〜３）
【発明の概要】
【発明が解決しようとする課題】
【０００５】
本発明は、背景技術で説明した問題点を解決し、工程ごとの処理方法や加工方法および被処理材や被加工材の形態に応じて、部品保持部を最小限の寸法公差によって製作でき、且つ複数の前記部品保持部を位置精度良く配設した複数部品保持治具の製造方法を提供する、ことを課題とする。
【課題を解決するための手段および発明の効果】
【０００６】
本発明は、前記課題を解決するため、前記部品ごとの保持部を高精度の３次元曲げ加工により製作し、且つ複数の前記部品保持部を溶接などの接合手段により、所定の位置ごとに配設する、ことに着想して成されたものである。
即ち、本発明による複数部品保持治具の製造方法（請求項１）は、複数の部品を同じの姿勢か所定の姿勢にて整列させ、且つ互いに離して保持するための複数部品保持治具の製造方法であって、上記部品の外形状および内形状の少なくも一方の形状に応じた最適な形状によって該部品を保持可能とする単位保持部を、金属線の３次元曲げ加工によって成形する保持部形成工程と、複数の前記単位保持部を該単位保持部ごとに追って保持される部品が接触しないように互いに離すか、あるいは互いに隣接しつつ整列させて支持基板または支持枠に接合する接合工程と、を含む、ことを特徴とする。
【０００７】
前記複数部品保持治具の製造方法によれば、以下の効果(１)〜(３)が得られる。
(１)対象となる工程の担当者から、当該工程での対象である部品の形態、施す処理や加工方法、前記部品のセット(保持)とリセット(搬出)態様、および当該部品の外形状および内形状の少なくとも一方に応じた保持ないし支持形状を聴取し、複数の部品を同じか一定の規則的な姿勢で整列させ、且つ前記部品で接触して良い部位と隙間を要する部位とを区分けし、更に隣接する部品同士が互いに接触または衝突しないような保持スタイルを企画・設計し、該設計案に沿って金属線を試作を含む３次元曲げ加工により単位保持部を成形する前記保持部形成工程を行うので、当該工程で最適な単位保持部を精度良く確実且つ迅速に得ることができる。
(２)前記保持部形成工程の後で該工程で得られた所要数(複数)の単位保持部を、該単位保持部ごとで保持される部品が互いに接触または衝突しないように、支持基板あるいは支持枠に整列させて接合する前記接合工程を行うので、前記工程に必要な最適の複数部品保持治具（オーダーメイド品）を、少ロットであっても製作ロスを極少なくして確実且つ迅速に提供できる。
(３)特に、本出願人のように、前記企画、設計、試作、３次元曲げ加工、および溶接などの接合作業をワンストップで行える場合には、ロット数に関わらず、比較的低コストで且つ短い納期により複数部品保持治具を提供することができる。
【０００８】
尚、前記部品は、複数個を同じ姿勢または一定の規則的な姿勢で整列して保持された状態で、少なくとも各部品の外側面および内側面の一方における所要の位置に対し、同時に洗浄、メッキ、塗装、スパッタリングなどが施され、更に搬送(台車などに積載する場合を含む)、展示や保管に活用される。該部品の材料は、金属製に限らず、合成樹脂やセラミックなどの素材からなるものであっても良い。
また、前記金属線（金属棒を含む）は、例えば、ステンレス鋼、炭素鋼、機械構造用鋼、バネ鋼などの特殊鋼、ＴｉやＴｉ合金などからなる。上記金属線の直径は、約３ｍｍ〜７ｍｍである。
更に、前記保持部形成工程には、３次元加工が可能な曲げ加工装置（例えば、ＮＣ式マルチフォーミングマシン）が用いられ、後述するように線径が３〜６ｍｍの場合における寸法公差は、±０．５ｍｍ以内である。
また、前記保持部形成工程において、保持すべき部品の外形状および内形状の少なくも一方の形状に応じて選定される最適な形状は、前記部品のセットおよびリセットの方法（人手、マニプレータ、アクチュエータ、多関節ロボットなど）に応じて決定される。
加えて、前記接合工程には、各種の溶接、ロウ付け、接着などが含まれる。
【０００９】
また、本発明には、前記支持基板は、多孔板または該多孔板の周囲に側枠を配設したものであり、前記支持枠は、全体が四角形以上の多角筒形状または円筒形状を呈し、上記多孔板の上面や、上記支持枠の外周側あるいは内周側に、複数の前記単位保持部が整列されている、複数部品保持治具の製造方法（請求項２）も含まれる。
これによれば、複数の前記単位保持部を同じ姿勢か一定の規則的な姿勢で互いに整列するように、前記支持基板である多孔板の上面、または周囲に側枠を配設した多孔板(支持基板)の上面に配設されているか、あるいは、前記支持枠の外周側および内周側の少なくとも一方に配設されているため、前記効果(１)〜(３)が確実に得られる。
尚、前記支持基板には、多孔板のみからなるものも含まれる。
また、上記多孔板には、パンチングメタルやエキスパンドメタルが含まれる。
更に、前記側枠は、前記多孔板の周辺における適所から立設した複数の支柱に支持されている。
加えて、前記支持枠の外周側と内周側との双方に、複数の前記単位保持部を整列させた形態としても良い。
【００１０】
更に、本発明には、前記保持部形成工程は、直線の金属線をその一端側から複数回に亘って他端側に向かって順次３次元曲げ加工するものであり、前記金属線の直径が３〜６ｍｍである場合の寸法公差は±０．５ｍｍ以内である、複数部品保持治具の製造方法（請求項３）も含まれる。
これによれば、金属線から前記単位保持部が寸法公差は±０．５ｍｍ以内で成形されるので、前記効果(１)を一層顕著に得ることが可能となる。
尚、３次元加工が可能な曲げ加工装置は、金属線を軸方向に沿って一定速度で送り出すワーク供給部、前記金属線の一端側から所定の位置ごとに対し、径方向に対し任意の傾斜角度で前記金属線を押し曲げる複数のツールとを備えている。
【００１１】
また、本発明には、前記整列とは、平面視で直線状、格子状、千鳥状、円環状、点対称状、線対称状、あるいは多角形状の何れかである、複数部品保持治具の製造方法（請求項４）も含まれる。
これによれば、前記支持基板の多孔板の上面、あるいは、前記支持枠の外周側および内周側の少なくとも一方に、複数の前記単位保持部が、平面視で直線状、格子状、千鳥状、円環状、点対称状、線対称状、あるいは、多角形状にして整列された複数部品保持治具となっている。従って、工程ごとに最適な部品のセットおよびリセットが可能な複数部品保持治具を提供できるので、前記効果(１)〜(３)を一層確実に奏することが可能となる。
尚、前記「直線状」には、複数の単位保持部を直に隣接させて溶接(接合)することによって全体を直線状に配列した複数保持部(ユニット)も含まれる。
【００１２】
加えて、本発明には、前記部品は、前記部品保持治具に保持された状態で、洗浄、メッキ、塗装、スパッタリング、検査、搬送、展示、あるいは保管に活用される、複数部品保持治具の製造方法（請求項５）も含まれる。
これによれば、対象の工程に対して前記効果(１)〜(３)が得られると共に、当該工程自体の生産性や効率(検査効率や搬送効率など)を向上させることも可能となる（以下、効果(４)と称する）。
【図面の簡単な説明】
【００１３】
【図１】(Ａ)〜(Ｇ)は本発明による一形態の保持部形成工程を示す概略図。
【図２】(Ａ)は上記保持部形成工程により得られた単位保持部単位を示す斜視図、(Ｂ)は整列補助枠を示す概略図、(Ｃ)は停止枠を示す概略図、(Ｄ)は側枠を有する支持基板を示す分解斜視図。
【図３】(Ａ)は接合工程とこれにより得られた複数部品保持治具を示す斜視図、(Ｂ)はその単位保持部付近において部品の保持状態を示す概略図。
【図４】(Ａ)〜(Ｆ)は異なる形態の保持部形成工程を示す概略図、(Ｇ)はその後の接合工程とこれにより得られた複数部品保持治具を示す斜視図、(Ｈ)はその単位保持部付近において部品の保持状態を示す概略図。
【図５】(Ａ)〜(Ｄ１)，(Ｄ２)は更に異なる形態の保持部形成工程を示す概略図、(Ｅ)は複数の単位保持部を支持枠の外周側に整列して接合した複数部品保持治具を示す斜視図、(Ｆ)はその一部の拡大図。
【発明を実施するための形態】
【００１４】
以下において、本発明を実施するための形態について説明する。
図１(Ａ)〜(Ｇ)は、本発明による一形態の保持部形成工程を示す概略図である。尚、図１では、理解を容易にするため、平面視でやや扁平状に描画している。
予め、図１(Ａ)に示す金属線ｍを用意する。該金属線ｍは、例えば、ステンレス鋼からなり、直径が３〜６ｍｍ(例えば、４ｍｍ)で且つ後述する単位保持部Ｈ１を成形するに必要な長さを有している。
【００１５】
実際には、前記金属線ｍは、全体が円筒形状に巻き付けられた長尺なコイルであり、該コイルを順次巻き返し、図示しない３次元曲げ加工装置（例えば、ＮＣ式マルチフォーミングマシン）に送られ、該金属線ｍの軸方向に沿って一定速度で搬送するトンネル状のワーク供給部から順次送り出される。更に、該供給部から出た直後に、当該金属線ｍの先端(一端)側から所定の位置ごとに、該金属線ｍの径方向に対し任意の傾斜角度(９０度を含む)で上記金属線ｍを押し曲げ(突き当て)る複数のツールごとにより曲げ加工が順次施された後、後端(他端)側で切断することにより、単位保持部Ｈ１が成形される。
【００１６】
本発明の単位保持部形成工程は、具体的には、以下のようにして行われる。
図１(Ｂ)に示すように、金属線ｍの一端側に直角状の曲げ部ｂ１を形成し、次に、図１(Ｃ)，(Ｄ)に示すように、前記曲げ部ｂ１の他端側において浅い傾斜角度の曲げ部ｂ２，ｂ３を順次形成した。
次いで、図１(Ｅ)に示すように、前記曲げ部ｂ３の他端側において、前記曲げ部ｂ１〜ｂ３が沿っている平面とは異なる平面方向に沿って直角状の曲げ部ｂ５と、これとは異なる方向に直角状に延びた曲げ部ｂ６とを順次形成した。
【００１７】
更に、図１(Ｆ)に示すように、前記曲げ部ｂ６の他端側に前記曲げ部ｂ５，ｂ６とは線対称となる曲げ部ｂ７，ｂ８を順次形成した。
最後に、図１(Ｇ)に示すように、曲げ部ｂ８の他端側に、軸方向に対して緩い傾斜角度の曲げ部ｂ９と、図示で下向きに凸となるようカーブした曲げ部ｂ１０とを順次形成した。その結果、同図および図２(Ａ)に示すように、全体が閉じた変形四角形形状を呈する単位保持部Ｈ１を成形することができた。１つの該単位保持部Ｈ１を成形するために要した時間は、約３０〜４０秒であった。
尚、以上の各曲げ加工における寸法公差は、±０．５ｍｍ以内である。
【００１８】
図２(Ｂ)は、前記単位保持部Ｈ１と併用するための整列補助枠Ｆを示す概略図で、該補助枠Ｆは、前記同様の金属線ｍを軸方向に沿って凹部２および凸部３が交互に成形され、これらの両端に垂直片４および水平片５が対称且つ平行に成形されている。
また、図２(Ｃ)は、複数の前記単位保持部Ｈ１および整列補助枠Ｆと併用するための停止枠Ｓを示す概略図で、該停止枠Ｓは、水平で且つ長めの直線部１の両端に垂直片４および水平片５が対称且つ平行に成形されている。
更に、図２(Ｄ)は、単独でも支持基板を兼ね得る多孔板６と、該多孔板６含み且つその周囲(四辺)に沿った側枠１３を有する支持基板１０とを示す斜視図である。上記多孔板６は、平面視が角形で且つ厚みが約１ｍｍのステンレス鋼板に、多数の貫通孔８を平面視で千鳥状に穿孔したパンチングメタルである。
【００１９】
一方、前記支持基板１０は、図２(Ｄ)に示すように、前記多孔板６において対向する一対の辺側を個別に受けて支持し、アングル形を呈し、縦片１７を含み且つ全面に貫通穴８を有する一対の多孔枠１６と、該多孔枠１６ごとの両端に溶接(接合)された４本のアングル形状の支柱１１と、隣接する該支柱１１同士の下端間に沿って溶接され且つ平面視が矩形枠状である下枠１２と、前記該支柱１１同士の上部間に沿って溶接された前記同様な側枠１３とを備えている。下枠１２ごとの上辺には、多孔枠１６の全長または両端部が溶接され、上下で平行な４組の下枠１２と側枠１３との軸方向の中間には、中柱１４が個別に溶接されている。
尚、前記多孔板６は、図２(Ｄ)中の白抜き矢印で示すように、４辺の側枠１３に囲まれた矩形の空間を通過し、左右一対の多孔枠１６の水平片の上に載置される。また、前記下枠１２、側枠１３、および中柱１４の直径は、約６ｍｍである。
【００２０】
次いで、本発明の接合工程について、図３(Ａ)に基づいて説明する。
予め、図３(Ａ)中の実線の矢印で例示するように、多孔板６の上面に対し、図示の前後方向に沿って５個ずつの単位保持部Ｈ１を、直線状に２列で整列し、且つ互いに離れるように、ガス溶接またはＭＩＧ溶接などによって溶接した。
次に、各列の単位保持部Ｈ１における図示で右側に位置する多孔板６の上面に対し、前記整列補助枠Ｆと停止枠Ｓとの組を、これらの水平片５を溶接付けして、２組を並列状に配設した。
尚、上記のように、前記多孔板６だけと、その上面に溶接した複数の単位保持部Ｈ１、整列補助枠Ｆ、および対し枠Ｓとからなる形態としても、本発明の複数部品保持治具に含まれる。
【００２１】
更に、図３(Ａ)に示すように、前記複数で２列に整列した複数の単位保持部Ｈ１と、一対ずつの整列補助枠Ｆおよび停止枠Ｓとが上面に溶接された前記多孔板６を、四辺の側枠１３に囲まれた矩形状の空間を通じて、対向する一対の多孔枠１６の水平片の上に跨がって載置することにより、本発明の複数部品保持治具２０ａを形成することができる。
上記複数部品保持治具２０ａよれば、図３(Ｂ)で例示するように、前記単位保持部Ｈ１ごとに破線で示す棒状で且つ軸方向の中間が太径である部品Ｐ１を、それらの下端側を前記整列補助枠Ｆの凹部２に接触させ、且つ下端面を停止枠Ｓで位置決めできる。その結果、複数の前記部品Ｐ１を同じ傾斜した姿勢で整列して保持した状態で維持ことができる。尚、図３(Ｂ)中の符号ｗは、前記接合工程で形成された溶接ビードを示す。
【００２２】
従って、複数の部品Ｐ１を前記複数部品保持治具２０ａと共に、例えば、有機溶剤が溶け込んだ洗浄液中または超音波洗浄液中に所定時間に亘り浸漬することによって、上記複数の部品Ｐ１の全表面から、油脂類や塵埃などの不要な汚れ成分を効率良く除去することができる。
しかも、前記複数部品保持治具２０ａを用いることにより、対向する二辺の側枠１３を人の両手、複数のフック、一対のマニプュレータ、あるいは、一対の多関節アームを有するロボットなどによって掴み、複数の部品Ｐ１を前記洗浄工程に搬入し、且つ前記洗浄液中に浸漬したり、該洗浄液から取り出して液切りし且つ乾燥させた後、次の工程に搬出することも容易となる。
【００２３】
前記のような前記複数部品保持治具２０ａによれば、対象部品Ｐ１の形態、処理や加工方法、該部品Ｐ１のセットとリセット態様、および外形状に応じて保持し、複数の部品Ｐ１を同じ姿勢で整列させ、隣接する部品同士が互いに接触または衝突しないような保持スタイルを設計し、該設計案に沿って金属線ｍから前記３次元曲げ加工により単位保持部Ｈ１を成形する前記保持部形成工程を行うので、当該工程で最適な単位保持部Ｈ１を精度良く確実且つ迅速に成形できる。
更に、前記単位保持部Ｈ１ごとで保持される部品Ｐ１が互いに接触または衝突しないように、多孔板６またはこれを含む支持基板１０に整列させて接合する前記接合工程を行うので、前記工程に必要な最適の複数部品保持治具２０ａを、少ロットであっても製作ロス少なくして確実且つ迅速に提供できる。
【００２４】
しかも、複数部品保持治具２０ａを用いることによって、前述したように、例えば、洗浄工程の処理効率を高めることにも寄与し得る。
特に、企画および設計段階から３次元曲げ加工および接合工程をワンストップで行う場合には、少ロットでも、比較的低コストで且つ短納期により提供することも可能となる。
従って、前記複数部品保持治具２０ａによれば、前記効果(１)〜(４)を得られることが容易に理解される。
尚、複数の単位保持部Ｈ１と、整列補助枠Ｆおよび停止枠Ｓを上面に溶接した前記多孔板６のみとからなる複数部品保持治具であっても、前記効果(１)〜(４)を得ることは可能である。
【００２５】
図４(Ａ)〜(Ｆ)は、前記同様の金属線ｍから前記とは異なる単位保持部Ｈ２を成形する保持部形成工程に関する。
即ち、前記曲げ加工装置を用いて、図４(Ａ)に示す金属線ｍの一端側を直角状に曲げ加工して、図４(Ｂ)に示すように、一端側に曲げ部ｂ１を形成し、該曲げ部ｂ１の他端側を異なる直角方向に沿って曲げ加工して、図４(Ｃ)に示すように、新たな曲げ部ｂ２を形成した。次に、該曲げ部ｂ２の他端側に、直角状の曲げ加工と２つのアール状の曲げ加工とを順次施して、図４(Ｄ)に示すように、直角状の曲げ部ｂ３と、アール形の曲げ部ｂ４，ｂ５とを順次形成した。
【００２６】
更に、図４(Ｅ)に示すように、前記曲げ部ｂ４，ｂ５の他端側にこれらと線対称となる曲げ部ｂ６，ｂ７，ｂ８を順次形成した後、曲げ部ｂ８の他端側に全体が台形状となる２つの曲げ部ｂ９，ｂ１０と、前記曲げ部ｂ１，ｂ２と対称になる２つの直角状の曲げ部ｂ１１，ｂ１２とを順次形成した。その結果、図４(Ｆ)に示すように、全体が枠箱形状の単位保持部Ｈ２を成形することができた。１つの該単位保持部Ｈ２を成形するために要した時間は、約３０〜４０秒であった。
尚、以上の各曲げ加工における寸法公差も、±０．５ｍｍ以内である。
【００２７】
次いで、複数の前記単位保持部Ｈ２を、図４(Ｇ)中の矢印で例示するように、前記同様の多孔板６の上面に３列に整列させて溶接する接合工程を行う。
この場合、各列ごとに必要な４個または５個の単位保持部Ｈ２を、直線状に並べ、隣接する縦片同士の間を溶接して、予め、当該単位保持部Ｈ２のユニットを３組製作しておき、該ユニットごとを多孔板６の上面に溶接する方法が、これら単位保持部Ｈ２全体の配置精度を高レベルにて安定させる観点上から望ましい。
一方、複数の前記単位保持部Ｈ２を、個別に多孔板６の上面に順次溶接付けして、全体を千鳥状に且つ３列に整列させて溶接する方法を用いても良い。
【００２８】
以上の何れかの接合工程を行うことにより、図４(Ｇ)に例示するように、多孔板６の上面に複数の単位保持部Ｈ２を、直線状且つ千鳥状に３列にして整列されていると共に、これらの周囲を四辺の側枠１３が包囲する複数部品保持治具２０ｂが得られる。
かかる複数部品保持治具２０ｂによれば、図４(Ｈ)に例示するように、単位部品保持部Ｈ２ごとにおいて、全体の外形が円盤形状を呈し、且つ図示で左下隅側に薄肉の円周部を形成する切り欠きｋを有する部品Ｐ２に対して、前記同様に効率良く洗浄処理を施すことが可能となる。
従って、前記複数部品保持治具２０ｂによっても、前記効果(１)〜(４)を得られることが容易に理解される。
但し、前記多孔板６だけと、その上面に複数の前記単位保持部Ｈ２を溶接してなる複数部品保持治具としても、前記効果(１)〜(４)を得ることが可能である。
【００２９】
図５(Ａ)〜(Ｄ１)，(Ｄ２)は、更に異なる形態の単位保持部Ｈ３を成形するための単位保持部形成工程を示す。
即ち、前記曲げ加工装置を用いて、図５(Ａ)に示す金属線ｍの一端側を僅かな傾斜の曲げ加工を施して、図５(Ｂ)に示すように、一端側に曲げ部ｂ１を形成し、該曲げ部ｂ１の他端側をやや異なる方向に沿って直角状に曲げ加工して、図５(Ｃ)に示すように、新たな直角状の曲げ部ｂ２を形成した。次に、前記曲げ部ｂ２の他端側を更に若干異なる方向に沿った直角状に曲げ加工し、図５(Ｄ１)，(Ｄ２)の異なる一対の視角で示すように、他端側に新たな直角状の曲げ部ｂ３を形成した。尚、以上の各曲げ加工における寸法公差も、±０．５ｍｍ以内である。
【００３０】
更に、図５(Ｄ１)，(Ｄ２)中の矢印で示すように、上下一対の水平片の先端ごとの上方に対し、金属薄板からなり、側面視がＬ字形状である爪片１８の水平片１９を個別に溶接付けした。その結果、全体が側面視でコ字形状を呈し、且つ上下一対の水平片の先端ごとに上記爪片１８を立設させた単位保持部Ｈ３が得られた。１つの該単位保持部Ｈ３を成形する曲げ加工に要した時間は、約６〜１０秒である。
次に、複数の上記単位保持部Ｈ３を、図５(Ｅ)に示すように、全体が円筒形状である支持枠２２の外周側に沿って溶接(接合)する接合工程を行った。
上記支持枠２２は、図示のように、金属線からなる上リング片２３と下リング片２４との間を、平面視で等間隔に配置した８本の柱片２５により接合したものである。尚、下リング片２４の内側には、補強片２６が十字形状にして接合されている。
【００３１】
更に、図５(Ｅ)，(Ｆ)に示すように、前記支持枠２２における８本の柱片２５ごとの外周側と、前記単位保持片Ｈ３ごとの縦片との間を溶接(ｗ)付けして個別に接合することで、複数部品保持治具２１が得られる。
８個の前記単位保持片Ｈ３は、平面視で円環状に整列していると共に、単位保持片Ｈ３ごとおける一対ずつの前記爪片１８は、前記柱片２５ごとから外周側に向かって同じ姿勢によって突出している。
そのため、図５(Ｆ)で例示するように、前記単位保持片Ｈ３ごとにおける上下一対の水平片の先端から立設した上下２つの爪片１８を、側面視が全体で弓形状で且つ水平断面が円弧形状を呈する部品Ｐ３の内側に設けられた上下一対の下向きの鈎部ｐ１，ｐ２における下向きの凹所内に進入させて保持できる。即ち、８個の部品Ｐ３を支持枠２２の外周側(円周方向)に沿って、全て同じ姿勢で整列させた状態で保持することができる。
【００３２】
その結果、例えば、前記支持枠２２を回転テーブル(図示せず)上に載置し、且つ一定速度で回転させることにより、外側からＣＣＤカメラによって、８個の前記部品Ｐ３の外側面を順次撮像することで、個々の部品Ｐ３における外側面の性状を、精度良く迅速に検査することが可能となる。あるいは、支持枠２２を上記同様に回転させた状態で、外側から塗料噴霧ノズルにより塗料をスプレー塗装または静電塗装することで、個々の部品Ｐ３における外側面に対し所望の塗装を効率良く施すことも可能となる。尚、上記塗装に替えて種々のブラスト処理を行うようにしても良い。
従って、前記複数部品保持治具２１によっても、前記効果(１)〜(４)を得られることが容易に理解されよう。
【００３３】
本発明は、以上において説明した各形態に限定されるものではない。
例えば、保持の対象となる複数の前記部品Ｐｘは、同じ工程で同じ処理または加工を、同じ姿勢あるいは一定の規則的な姿勢で施されるものであれば、金属製、合成樹脂製、セラミック製、あるいは、これらの複合材からなるものでも良い。
また、前記支持基板は、前記貫通孔８がない平板からなる形態、該平板の周辺ごとから上向きに一体に立設した複数の側壁を有する形態、あるいは、単位保持部ごとの直下付近のみに前記貫通孔８を穿孔した形態のものとしても良い。
【００３４】
更に、前記支持基板を構成する前記多孔板６は、整列させる複数の部品の配列姿勢に応じて、平面視で円形、楕円形、長円形、三角形または五角形以上の正多角形あるいは変形多角形の外形を呈するものとしても良い。
前記多孔板６が上記形態の場合には、前記支持基板における多孔板６の周囲に配設する前記側枠１３も、平面視で上記と相似形状の円形、楕円形、長円形、三角形または五角形以上の正多角形あるいは変形多角形を呈するものとされる。
【００３５】
更に、前記単位保持部の形状は、前記金属線ｍを前記次元曲げ加工装置によって、該金属線ｍの一端側から他端側に向かって、順次所要の方向に所要の角度で曲げ加工を複数回施され、且つ対象となる複数の部品Ｐｘ同士を同じか一定の規則的な姿勢で互いに離して個別に保持できる形状であれば、特に限定されない。
加えて、前記支持枠は、前記円筒形状に限らず、全体が四角形以上の正多角筒形状または変形多角筒形状、直方体形状、あるいは、円錐体形状を呈する形態としても良い。
【産業上の利用可能性】
【００３６】
本発明によれば、工程ごとの処理方法や加工方法および被加工材や被処理材の形態に応じて、部品保持部を最小限の寸法公差により製作でき、且つ複数の前記部品保持部を位置精度良く配設した複数部品保持治具の製造方法を提供できる。
【符号の説明】
【００３７】
６…………………………多孔板(支持基板)
１０………………………支持基板
１３………………………側枠
２０ａ，２０ｂ，２１…複数部品保持治具
２２………………………支持枠
Ｈ１〜Ｈ３………………単位保持部
Ｐ１〜Ｐ３………………部品
ｍ…………………………金属線
ｂ１〜ｂｎ………………曲げ部
ｗ…………………………溶接ビード(溶接、接合)
【図１】
2020203262.tif 000003
【図２】
2020203262.tif 000004
【図３】
2020203262.tif 000005
【図４】
2020203262.tif 000006
【図５】
2020203262.tif 000007